(57)【要約】【課題】自動運転する手乾燥装置の待機電力の削減を図ることを目的とする。【解決手段】本体１に手挿入部５と、手挿入部５に空気を送る送風装置と、前記送風装置から送る空気を調節する風質可変手段８と、手挿入部５に手の存在を検知する手検知手段９と、本体１とは別にトイレ内の水道の蛇口を中心とした所定の範囲２内に取り付けられた水道作動検知手段３からの信号の有無により、手検知手段９および風質可変手段８への給電を開始するかどうかを判断する制御部４とを備えたものである。【選択図】図２
2011229717.tif 000002
【特許請求の範囲】
【請求項１】
本体に手挿入部と、前記手挿入部に空気を送る送風装置と、前記送風装置から送る空気を調節する風質可変手段と、前記手挿入部に手の存在を検知する手検知手段と、本体とは別にトイレ内の水道の蛇口を中心とした所定の範囲内に取り付けられた水道作動検知手段からの信号の有無により、前記手検知手段および前記風質可変手段への給電を開始するかどうかを判断する制御部とを備えた手乾燥装置。
【請求項２】
水道作動検知手段から本体へ出力される信号は、無線信号で制御部に送信される請求項１記載の手乾燥装置。
【請求項３】
制御部は、水道作動検知手段において水道の作動を検知した場合、手検知手段および風質可変手段への給電を開始する請求項１記載の手乾燥装置。
【請求項４】
制御部は、水道作動検知手段において水道の作動を検知してから手検知手段が手の存在を検知しない状態が所定の時間を越えた場合、手検知手段が手の存在を検知しない場合、手検知手段および風質可変手段への給電を遮断する請求項１記載の手乾燥装置。
【請求項５】
制御部は、水道作動検知手段において水道の作動を検知してから少なくとも所定の時間を測定する水タイマー手段を備えた請求項４記載の手乾燥装置。
【請求項６】
送風装置は羽根とこの羽根を回転させるモータとを備え、風質可変手段には、前記モータの回転数を変化させる風量可変手段を備え、制御部は、手検知手段が手の存在を検知しているときに、水道作動検知手段において水道の作動を検知した場合、風量可変手段によりモータの回転数を高くして、手挿入部へ送る空気の量を増加させる請求項１記載の手乾燥装置。
【請求項７】
本体は送風装置によって送風した空気を加熱するヒーターを備え、風質可変手段には、前記ヒーターを動作させる風温可変手段を備え、制御部は、手検知手段が手の存在を検知しているときに、水道作動検知手段において水道の作動を検知した場合、風温可変手段によりヒーターを動作させ、手挿入部に送る空気を暖める請求項１記載の手乾燥装置。
【請求項８】
制御部は、手検知手段が手の存在の検知を終えたときから所定の時間、手検知手段および風質可変手段への給電を継続する請求項１、６、７のいずれか一つに記載の手乾燥装置。
【請求項９】
制御部は、手検知手段が手の存在の検知を終えたときから水道作動検知手段において水道の作動を検知しない状態が所定の時間を越えた場合、水道作動検知手段において水道の作動を検知しない場合、手検知手段および風質可変手段への給電を遮断する請求項１または８記載の手乾燥装置。
【請求項１０】
制御部は、手検知手段が手の存在の検知を終えたときから少なくとも所定の時間を測定する手タイマー手段を備えた請求項９記載の手乾燥装置。
【請求項１１】
水道作動検知手段は、水道の蛇口を中心とした所定の範囲内に設置することを特徴とする請求項１から請求項１０のいずれか一つに記載の手乾燥装置。
【請求項１２】
水道作動検知手段が水道の作動を検知し、手検知手段および風質可変手段への給電を開始した場合には、給電の開始を報知する給電報知手段を本体正面に備えていることを特徴とする請求項１から１１のいずれか一つに記載の手乾燥装置。
【請求項１３】
水道作動検知手段が水道の作動を検知した場合、手挿入部の位置を報知する手挿入部表示手段を手挿入部内に備えた請求項１から１２のいずれか一つに記載の手乾燥装置。
【請求項１４】
水道作動検知手段が水道の作動を検知しない場合、給電報知手段および手挿入部表示手段への給電を遮断する請求項１１または１３に記載の手乾燥装置。
【発明の詳細な説明】
【技術分野】
【０００１】
本発明は、待機電力の削減を図った手乾燥装置に関するものである。
【背景技術】
【０００２】
従来、待機電力の削減を図った手乾燥装置は、人感センサーにより待機電力の削減を図る装置として、人感センサーの在人信号により自動運転態勢をとり、また、不在信号により待機態勢をとるものが知られている（例えば、特許文献１参照）。
【０００３】
以下、その手乾燥装置について図１１を参照しながら説明する。
【０００４】
図１１に示すように、この装置は、本体１０１に手を出し入れできる手挿入部１０２が設けられ、手挿入部１０２に高圧空気流発生装置１０３により発生させた高速空気流を噴出させて、手に付着した水分を高速空気流の運動エネルギーにより手挿入部１０２に吹き飛ばし手を乾燥させるにあたり、その手挿入部１０２への手の出し入れを手検知手段１０４により検知して自動運転するような構成となっていた。
【０００５】
さらに、その装置について、人感センサー１０５の在人信号により自動運転態勢をとり、不在信号により手検知手段１０４への給電を遮断して待機態勢をとるような構成となっていた。
【先行技術文献】
【特許文献】
【０００６】
【特許文献１】特開２００１−２７５８８２号公報
【発明の概要】
【発明が解決しようとする課題】
【０００７】
このような従来の手乾燥装置では、人感センサーにより待機電力の削減を図ってきたが、通常、人感センサーを用いたものでは、手乾燥装置本体に取り付けられた人感センサーにより検知された人が手乾燥装置を使用する前か使用した後かということが分からず、手乾燥装置が使用されない場合においても、無駄な給電が行われていると考えられる。
【０００８】
本発明は、このような従来の課題を解決するものであり、水道の作動を検知し、運転させることにより、自動運転する手乾燥装置の待機電力の削減を図ることを目的としている。
【課題を解決するための手段】
【０００９】
そして、この目的を達成するために、本発明は、本体に手挿入部と、前記手挿入部に空気を送る送風装置と、前記送風装置から送る空気を調節する風質可変手段と、前記手挿入部に手の存在を検知する手検知手段と、本体とは別にトイレ内の水道の蛇口を中心とした所定の範囲内に取り付けられた水道作動検知手段からの信号の有無により、前記手検知手段および前記風質可変手段への給電を開始するかどうかを判断する制御部とを備えたものであり、これにより所期の目的を達成するものである。
【発明の効果】
【００１０】
本発明によれば、本体に手挿入部と、前記手挿入部に空気を送る送風装置と、前記送風装置から送る空気を調節する風質可変手段と、前記手挿入部に手の存在を検知する手検知手段と、本体とは別にトイレ内の水道の蛇口を中心とした所定の範囲内に取り付けられた水道作動検知手段からの信号により、前記手検知手段および前記風質可変手段を動作させる制御部を備えるという構成にし、前記制御部は、前記水道作動検知手段が作動したかどうか等の判断をし、前記手検知手段および前記風質可変手段を動作させるため、前記水道作動検知手段からの信号がない場合は前記手検知手段および前記風質可変手段への給電を遮断することにより、待機電力を削減することができるという効果が得られる。
【図面の簡単な説明】
【００１１】
【図１】本発明の実施の形態１の手乾燥装置の設置形態を示す斜視図
【図２】同手乾燥装置を示す側断面図
【図３】同手乾燥装置の制御動作を示すフローチャート
【図４】同手乾燥装置の制御動作を説明するための簡略化したフローチャート
【図５】同手乾燥装置の手乾燥ルーチンのフローチャート
【図６】同手乾燥装置の速調可変ルーチンのフローチャート
【図７】同手乾燥装置の第一判定ルーチンのフローチャート
【図８】同手乾燥装置の第二判定ルーチンのフローチャート
【図９】本発明の実施の形態２の手乾燥装置を示す側断面図
【図１０】同手乾燥装置のスイッチ切り替えルーチンのフローチャート
【図１１】従来の手乾燥装置を示す側断面図
【発明を実施するための形態】
【００１２】
本発明の請求項１記載の手乾燥装置は、本体に手挿入部と、手挿入部に空気を送る送風装置と、送風装置から送る空気を調節する風質可変手段と、手挿入部に手の存在を検知する手検知手段と、本体とは別にトイレ内の水道の蛇口を中心とした所定の範囲内に取り付けられた水道作動検知手段からの信号の有無により、手検知手段および風質可変手段への給電を開始するかどうかを判断する制御部とを備えたという構成を有する。これにより、制御部は、水道作動検知手段が作動したかどうか等の判断をし、手検知手段および風質可変手段を動作させるため、水道作動検知手段からの信号がない場合、手検知手段および風質可変手段への給電を遮断することにより、待機電力を削減することができる。
【００１３】
本発明の請求項２記載の手乾燥装置は、水道作動検知手段から本体へ出力される信号は、無線信号で制御部に送信されるものである。これにより、水道作動検知手段は、本体から電気的に切り離した構造となるので、水道の蛇口周辺など濡れた場所に取り付けられた場合、本体から漏電することがなく感電防止をすることができるという効果を奏する。
【００１４】
本発明の請求項３記載の手乾燥装置は、制御部は、水道作動検知手段において水道の作動を検知した場合、手検知手段および風質可変手段への給電を開始するという構成を有する。これにより、水道作動検知手段が水道の作動を検知した場合は、手検知手段および風質可変手段への給電を開始し、水道の作動を検知しない場合は手検知手段および風質可変手段への給電を遮断するため、待機電力を削減することができるという効果を奏する。
【００１５】
また本発明の請求項４記載の手乾燥装置は、制御部は、水道作動検知手段において水道の作動を検知してから手検知手段が手の存在を検知しない状態が所定の時間を越えた場合、手検知手段が手の存在を検知しない場合、手検知手段および風質可変手段への給電を遮断するという構成を有する。これにより、水道作動検知手段が水道の作動を検知してから所定の時間は手検知手段および風質可変手段へ給電し続けるが、所定の時間以上、手検知手段が手の存在を検知しない場合は、手検知手段および風質可変手段への給電を遮断するため、待機電力を削減することができるという効果を奏する。
【００１６】
また本発明の請求項５記載の手乾燥装置は、制御部は、水道作動検知手段において水道の作動を検知してから少なくとも所定の時間を測定する水タイマー手段を備えたという構成を有する。これにより、使用者がいない待機状態が続けば、水タイマー手段により所定の時間が経過したことを計測して、手検知手段および風質可変手段等への給電を遮断するなど、待機電力を削減する機能を実現することができるという効果を奏する。
【００１７】
また本発明の請求項６記載の手乾燥装置は、送風装置は羽根とこの羽根を回転させるモータとを備え、風質可変手段には、モータの回転数を２段階に変化させる風量可変手段を備え、制御部は、手検知手段が手の存在を検知しているときに、水道作動検知手段において水道の作動を検知した場合、風量可変手段によりモータの回転数を高くして、手挿入部へ送る空気の量を増加させるという構成を有する。これにより、風質可変手段は、手検知手段が手の存在を検知中に水道作動検知手段で水道の作動を検知した場合には、風量可変手段によりモータの回転数を高くして、手挿入部へ送る空気の量を増加させ、手検知手段が手の存在を検知中に水道作動検知手段が水道の作動を検知しない場合には、モータの回転数を低くして、手挿入部へ送る空気の量は増加させないことでトイレの状況に合わせた運転を実現することができるという効果を奏する。
【００１８】
また本発明の請求項７記載の手乾燥装置は、本体は送風装置によって送風した空気を加熱するヒーターを備え、風質可変手段には、前記ヒーターを動作させる風温可変手段を備え、制御部は、手検知手段が手の存在を検知しているときに、水道作動検知手段において水道の作動を検知した場合、風温可変手段によりヒーターを動作させ、手挿入部に送る空気を暖めるという構成を有する。これにより、風質可変手段は、手検知手段が手の存在を検知中に水道作動検知手段で水道の作動を検知した場合には、風温可変手段によりヒーターを動作させ、手挿入部に送る空気を暖め、手検知手段が手の存在を検知中に水道作動検知手段が水道の作動を検知しない場合、または、手検知手段が手の存在を検知しない場合には、風温可変手段への給電を遮断するため、待機電力を削減することができるという効果を奏する。
【００１９】
また本発明の請求項８記載の手乾燥装置は、制御部は、手検知手段が手の存在の検知を終えたときから所定の時間、手検知手段および風質可変手段への給電を継続する構成を有する。これにより、手乾燥後、使用者が手乾燥の効果を不十分であると感じ、手挿入部に手を再挿入した場合、または、手検知中に、手の挿入位置が悪く、手検知手段が手の存在の検知を中断した場合、手検知手段および風質可変手段への給電が遮断し、手検知手段が手の存在を検知しないという状況を防ぐことができるという効果を奏する。
【００２０】
また本発明の請求項９記載の手乾燥装置は、制御部は、手検知手段が手の存在の検知を終えたときから水道作動検知手段において水道の作動を検知しない状態が所定の時間を越えた場合、水道作動検知手段において水道の作動を検知しない場合、手検知手段および風質可変手段への給電を遮断するという構成を有する。これにより、使用者がいない待機状態が続けば、手検知手段および風質可変手段への給電を遮断するため、待機電力を削減することができるという効果を奏する。
【００２１】
また本発明の請求項１０記載の手乾燥装置は、制御部は、手検知手段が手の存在の検知を終えたときから少なくとも所定の時間を測定する手タイマー手段を備えたという構成を有する。これにより、使用者がいない待機状態が続けば、手タイマー手段により所定の時間が経過したことを計測して、手検知手段および風質可変手段等への給電を遮断するなど、待機電力を削減する機能を実現することができるという効果を奏する。
【００２２】
また本発明の請求項１１記載の手乾燥装置は、水道作動検知手段は、水道の蛇口を中心とした所定の範囲内に設置するという構成を有する。これにより、水道を利用した人がいる場合、水道の作動を検知し、本体は動作をするため、水道を利用しない人には反応しないことになり、誤動作を防止することができ、また、待機電力を削減することができるという効果を奏する。
【００２３】
また本発明の請求項１２記載の手乾燥装置は、水道作動検知手段が水道の作動を検知し、手検知手段および風質可変手段への給電を開始した場合には、給電の開始を報知する給電報知手段を本体正面に備えていることを特徴とする。これにより、給電報知手段が給電の開始を報知することで、使用者は水道作動検知手段が水道の作動を検知し、手検知手段および風質可変手段への給電を開始したことを知ることができ、本体の運転状況を知ることができる。
【００２４】
また本発明の請求項１３記載の手乾燥装置は、水道作動検知手段が水道の作動を検知した場合、手挿入部の位置を報知する手挿入部表示手段を手挿入部内に備えたという構成を有する。これにより、水道作動検知手段が水道の作動を検知した場合に手挿入部の位置を手挿入部表示手段が報知することで分かりやすくなるため、水道を利用した人が迷わず手乾燥装置および手挿入部の位置を確認することができ、また、手検知手段および風質可変手段への給電を開始した手乾燥装置が使用されないという可能性を低下させることができるという効果を奏する。
【００２５】
また本発明の請求項１４記載の手乾燥装置は、水道作動検知手段が水道の作動を検知しない場合、給電報知手段および手挿入部表示手段への給電を遮断するという構成を有する。これにより、水道の作動を検知しない場合には、余分な電力を消費しないため、待機電力を削減することができるという効果を奏する。
【００２６】
以下、本発明の実施の形態について図面を参照しながら説明する。
【００２７】
（実施の形態１）
図１に示すように、本発明の手乾燥装置は、トイレの壁面に取り付けられている本体１と、前記本体１とは別に、水道の蛇口を中心とした所定の範囲２内に水道の作動を検知する水道作動検知手段３と、前記本体１に水道作動検知手段３からの信号を受信する制御部４を備える。
【００２８】
水道作動検知手段３は、本体１と切り離して設置されるため、本体１とは電気的に接続されておらず、水道作動検知手段３が水道の作動を検知した結果を、電波を用いた無線信号により制御部４に伝えるものである。
【００２９】
また、図２において、本体１は、外部に向かって開口した挿入口から手を抜き差しできる手挿入部５と、手挿入部５に空気を送る送風装置６と、送風装置６から送られた空気を手挿入部５に送出する吹き出し口７と、送風装置６から送られた空気を調節する風質可変手段８と、手挿入部５に手の存在を検知する手検知手段９と、水道作動検知手段３からの信号の有無により、風質可変手段８を動作させる制御部４と、水道作動検知手段３が検知した情報により、本体１の動作状況などを製品の正面に表示させる給電報知手段１０と、手挿入部５内を照らし出す手挿入部表示手段１１を備える。
【００３０】
また、図２における制御部４は、風質可変手段８と、手検知手段９と、給電報知手段１０と、手挿入部表示手段１１と電気的に接続されており、水道作動検知手段３が検知した情報と、その検知した情報と所定値とを比較した結果などを給電報知手段１０へ伝える。
【００３１】
また、送風装置６は一例として、送風装置６内に設けたファンモータ１２を用いて、ファンモータ１２を回転させることにより、本体１下部にある吸い込み口１３から空気を取り込み、吹き出し口７から空気を送り出すものである。
【００３２】
また、風質可変手段８の一例として、風質可変手段８内に設けたファンモータ１２の回転数を低速および高速の２段階に変更可能な風量可変手段１４を備え、手検知手段９が手の存在を検知中、水道作動検知手段３において水道の作動が検知されるかどうかにより、制御部４は、風量可変手段１４を動作させ、送風装置６内に設けたファンモータ１２の回転数を変更するかどうかを判断する。
【００３３】
また、制御部４は、水道作動検知手段３において水道の作動を検知してから少なくとも所定の時間を測定する水タイマー手段１５を備え、また、水タイマー手段１５のカウント値と比較して手検知手段９への給電を遮断させる第一の所定値を記憶しており、水タイマー手段１５のカウント値と第一の所定値とを比較することにより、制御部４は手検知手段９への給電を遮断するかどうかを判断する。
【００３４】
また、制御部４は、手検知手段９が手の存在の検知を終えたときから少なくとも所定の時間を測定する手タイマー手段１６を備え、また、手タイマー手段１６のカウント値と比較して手検知手段９への給電を遮断させる第二の所定値を記憶しており、手タイマー手段１６のカウント値と前記第二の所定値とを比較することにより、制御部４は手検知手段９への給電を遮断するかどうかを判断する。
【００３５】
また、図１における水道作動検知手段３は一例として、赤外線受発光素子や測距センサーなどを用いて、水道作動検知手段３が水道の作動を検知し、制御部４に電波を用いた無線信号で検知結果を伝えるものである。
【００３６】
また、図２における手検知手段９は一例として、赤外線受発光素子や測距センサーなどを用いて、手挿入部５内の手の抜き差しを検知するものである。
【００３７】
また、手検知手段９からの信号を検知した制御部４は、手検知手段９が手の存在を検知している間、送風装置６を動作し続け、検知を終えれば、送風装置６を停止させるものである。
【００３８】
また、給電報知手段１０は一例として、ＬＥＤやＬＣＤなどを用いて、制御部４からの信号を受け、本体１の正面の製品外郭に本体１の運転状態を表示させることにより、使用者に本体１の運転状態を伝えるものである。
【００３９】
また、図２において、手挿入部表示手段１１は一例として、ＬＥＤなどを用いて水道作動検知手段３が検知された場合に手挿入部表示手段１１を光らせ、手挿入部５内を照らし、手挿入部５の位置を報知するものである。
【００４０】
また、図２において、初めて使うトイレでは、トイレの間取りが分からず、手乾燥装置が設置されているのかどうか、また、手乾燥装置をあまり使用したことがない幼い子供や老人などは、どこに手を入れていいのか分からない場合があるため、本体１の位置を分かりやすくするために、制御部４は、水道作動検知手段３が水道の作動を検知した場合、手挿入部表示手段１１を光らせることにより、水道を利用した人が迷わず手乾燥装置の本体１および手挿入部５の位置を確認することができ、また、手検知手段９への給電を開始した手乾燥装置が使用されないという可能性を低下させることができる。
【００４１】
上記構成をまとめると、制御部４は、手乾燥装置を動作させるアルゴリズムを有し、そのフローは図３のフローチャートのようになる。つまり、図３を簡略化した図４のフローチャートで示すように、基本的な手乾燥の動作をする手乾燥ルーチン１５Ａ、ファンモータ１２の回転数を可変する速調可変ルーチン１６Ａ、水道作動が検知された後の給電を遮断するタイミングを判定する第一判定ルーチン１７Ａおよび手の再挿入時の給電遮断を防止する第二判定ルーチン１８Ａとから構成されている。
【００４２】
まず初めに、手乾燥ルーチン１５Ａについて基本的な動作を図５のフローチャートで説明する。手乾燥ルーチン１５Ａは、水道作動検知手段３の信号を受けて水道作動を検知する水道作動検知ステップ２０と、風質可変手段８と手検知手段９と給電報知手段１０と手挿入部表示手段１１とファンモータ１２と風量可変手段１４への給電を開始する給電開始ステップ２１と、給電報知手段１０と手挿入部表示手段１１へ情報の伝達を行う情報伝達ステップ２２と、手検知手段９からの信号を受け手挿入部５に手が挿入されたときには、ファンモータ１２を低速回転で動作させる手乾燥ステップ２３と、手が挿入されたことが検知されないときには、風質可変手段８と手検知手段９と給電報知手段１０と手挿入部表示手段１１とファンモータ１２と風量可変手段１４への給電を遮断させる給電遮断ステップ２４とから構成されている。
【００４３】
そして、制御部４は、水道作動検知ステップ２０で水道作動検知手段３が水道の作動を検知すると、給電開始ステップ２１で風質可変手段８と、手検知手段９と、給電報知手段１０と、手挿入部表示手段１１と、ファンモータ１２と、風量可変手段１４へ給電を開始する。つづいて制御部４は、情報伝達ステップ２２で給電報知手段１０と、手挿入部表示手段１１に水道の作動が検知されたことを知らせる情報を伝達する。その後、制御部４は手乾燥ステップ２３にて手検知手段９の信号から手挿入部５に手が挿入されたことを検知すると、手乾燥ステップ２３でファンモータ１２を低速の回転数で動作させる。また、手検知手段９が手挿入部５への手の存在を検知しなければ、給電遮断ステップ２４で風質可変手段８と、手検知手段９と、給電報知手段１０と、手挿入部表示手段１１と、ファンモータ１２と、風量可変手段１４への給電を遮断し、待機電力を削減することができる。
【００４４】
以上のように、従来の人感センサーを用いて手乾燥装置の各手段への給電を制御するものでは、検知された人が手乾燥装置を使用する前か使用した後かということが解からず、無駄な給電が行われていたが、本実施の形態のように水道作動検知手段３を用いて手乾燥装置の各手段への給電を制御することで、水道を利用しない人には反応しないことになり、つまり、手乾燥装置の近くに来ただけで、手の乾燥をしない人には反応しないことになり、誤動作による無駄な給電を防止することができる。
【００４５】
このように、基本的な動作を説明したが、実際には、公衆トイレでは、複数の手洗い場に対して、一つの手乾燥装置が設けられている場合が多い。そのような場合では、手を乾燥させるために待たなければならないことがしばしばある。そこで、図６のような速調可変ルーチン１６Ａを手乾燥ルーチン１５Ａに接続して実行することが有益となる。以下、その構成と動作について説明する。速調可変ルーチン１６Ａは、水道作動検知ステップ２０と、風質可変手段８を動作させてファンモータ１２の回転速度を変更する風量可変ステップ２５とから構成されている。
【００４６】
つまり、手乾燥ステップ２３で手検知手段９が手の存在を検知してファンモータ１２を低速回転で運転させている状態で、水道操作をした人があった場合に、水道作動検知手段３は再び水道作動検知ステップ２０で水道の作動を検知することになる。つまり制御部４はつぎの手乾燥装置の使用者をいち早く検出することとなる。そこで風量可変ステップ２５により風量可変手段１４を動作させ、ファンモータ１２の回転数を高速に変更することにより、吹き出し口７から送風される風量を多くすることとなる。本体１は、現在行っている手の乾燥をより早く済ませ、つぎの手乾燥者を待たせる時間を短縮することができる。なお、この速調可変ルーチン１６Ａで、水道作動検知手段３が水道の作動を検知しない場合には、ファンモータ１２の回転数は変更せず低速回転を維持したまま手乾燥を行うこととなる。
【００４７】
上記のように速調可変ルーチン１６Ａを備えることで、現在行っている手の乾燥をより早く済ませ、つぎの手乾燥者を待たせる時間を短縮することができる。
【００４８】
さて、水道作動検知手段３によって、手乾燥装置の使用者をいち早く検出することができることを説明したが、水道作動検知手段３が水道の作動を検知しても使用者が手乾燥装置を使用しない場合もある。そこで、下記のように第一判定ルーチン１７Ａを備えることで、給電を遮断して必要以上の電力の消費を抑えることができる。つまり、図４に示すように手乾燥ルーチン１５Ａに第一判定ルーチン１７Ａを組み入れるものである。第一判定ルーチン１７Ａは、図７に示すように、水道作動検知ステップ２０と水道作動検知後の経過時間を計測する水タイマー手段１５を作動させる第一時間計測開始ステップ２６と、手乾燥ステップ２３と、前記水タイマー手段１５の計測値が第一の所定値に達したか否かを判定する第一判定ステップ２７と、前記水タイマー手段１５の計測値が第一の所定値に達していた場合には、風質可変手段８と手検知手段９と給電報知手段１０と手挿入部表示手段１１とファンモータ１２と風量可変手段１４への給電を遮断させる給電遮断ステップ２４とから構成されている。
【００４９】
水道作動検知手段３が水道の作動を検知すると、第一時間計測開始ステップ２６により水タイマー手段１５がセットされ、水タイマー手段１５による時間計測を開始させる。つづいて手乾燥ステップ２３で手検知手段９が手の存在を検知した場合、第一判定ステップ２７で水タイマー手段１５を停止させるリセットをし、手乾燥ステップ２３でファンモータ１２を低速の回転数で動作させる。また、手乾燥ステップ２３で手検知手段９が手の存在を検知しなかった場合、第一判定ステップ２７で水タイマー手段１５の時間計測値が第一の所定値以上となれば、給電遮断ステップ２４で風質可変手段８と、手検知手段９と、給電報知手段１０と、手挿入部表示手段１１と、ファンモータ１２と、風量可変手段１４への給電を遮断し、待機電力を削減することができる。なお、第一判定ステップ２７で水タイマー手段１５の時間計測値が第一の所定値以上となるまでは、手検知と時間計測を続けることとなる。
【００５０】
さて、図５のフローチャートでは、使用者が手挿入部５から手を抜いてしまうと、風質可変手段８と、手検知手段９と、給電報知手段１０と、手挿入部表示手段１１と、ファンモータ１２と、風量可変手段１４への給電を遮断することを説明したが、より使い勝手を良くするためには、給電の遮断を行うタイミングを判定することが重要である。つまり、使用者は、手乾燥を終了して一度手を抜いた後に、乾燥ムラなどにより手を再挿入することがある。このときの給電遮断による手乾燥不可能を防止することが使い勝手を向上させることになる。そこで、図８のフローチャートで手の再挿入時の給電遮断を防止する第二判定ルーチン１８Ａについて説明する。
【００５１】
第二判定ルーチン１８Ａは、手乾燥ルーチン１５Ａで手検知手段９により手が検知されたときに記憶するフラグセットステップ２８と、手が検知されないときに手が検知されたときのフラグの有無を確認するフラグチェックステップ２９と、前記フラグがあるときに次の水道作動検知までの時間を計測する手タイマー手段１６の時間計測を開始させる手タイマー手段開始ステップ３０と、この手タイマー手段開始ステップ３０につづけて実行すする前記フラグをリセットするフラグリセットステップ３１と、手タイマー手段１６の時間計測値が第二の所定値に達したことを判定する第二判定ステップ３２と、前記手タイマー手段１６の計測値が第二の所定値に達していた場合には、風質可変手段８と手検知手段９と給電報知手段１０と手挿入部表示手段１１とファンモータ１２と風量可変手段１４への給電を遮断させる給電遮断ステップ２４とから構成されている。
【００５２】
これにより、手乾燥ルーチン１５Ａで手検知手段９が手の存在を検知すると、次の第二判定ルーチン１８Ａでフラグがセットされ、制御部４は、再び手乾燥ルーチン１５Ａでファンモータ１２を低速の回転数で動作させる。その後、そのフラグがセットされた状態で手挿入部５から手が抜かれ、手検知手段９が手の存在を検知し終わると、手タイマー手段開始ステップ３０により手タイマー手段１６の時間カウント動作を開始させるセットがされ、水道作動検知ステップ２０により水道作動検知手段３が水道の作動を検知したことを確認すると、手乾燥ルーチン１５Ａで手タイマー手段１６を停止させるリセットをする。また、水道作動検知手段３が水道の作動を検知しないことを確認すると、図８の第二判定ステップ３２へ進み、手タイマー手段１６の値が第二の所定値以上と判定された場合には、給電遮断ステップ２４で風質可変手段８と、手検知手段９と、給電報知手段１０と、手挿入部表示手段１１と、ファンモータ１２と、風量可変手段１４への給電を遮断し、待機電力を削減することができる。つまり、手検知手段９が手の存在の検知を終えたときから第二の所定値である所定の時間内は手検知手段９および風量可変手段１４への給電を継続し、所定の時間を越えた場合、給電を遮断し、待機電力を削減することができる。
【００５３】
以上のように、水道作動検知手段３が非検知の場合、制御部４は風質可変手段８と、手検知手段９と、給電報知手段１０と、手挿入部表示手段１１と、ファンモータ１２と、風量可変手段１４への給電を遮断することにより、手乾燥装置の動作時間の大半を占める待機時間で消費される電力を大幅に削減することができるため、待機電力を抑えた商品を提供することができる。
【００５４】
また、トイレ等の水道の蛇口を中心とした所定の範囲２内に水道作動検知手段３を設置する場合、設置する壁面、または、床が濡れていることが多いため、本実施の形態のように、水道作動検知手段３を本体１と切り離して設置することにより、本体１とは電気的に接続されていないため、漏電および感電を防止ができるので安全性もあり、さらに、取り外しが簡単になるため、掃除などもしやすい商品を提供することができる。
【００５５】
（実施の形態２）
本発明の実施の形態２について図９を参照しながら説明する。実施の形態１と同一部分は同一番号を附し詳細な説明を簡略化する。
【００５６】
実施の形態２では、実施の形態１の風質可変手段８の別の実施の形態として、送風装置６にヒーター１７を設け、風質可変手段８内に設けたヒーター１７を動作可能な風温可変手段１８を備え、手検知手段９が手の存在を検知中、水道作動検知手段３において水道の作動が検知されるかどうかにより、制御部４は、風温可変手段１８を動作させ、ヒーター１７をＯＮ／ＯＦＦ制御し、送風装置６から送られてくる空気を温めるかどうかを判断する。つまり、実施の形態１では、速調可変ルーチン１６Ａにより、ファンモータ１２の回転数を変更して風量を切り替えていたが、本実施の形態では、風温可変手段１８と、これを動作させるスイッチ切り替えルーチン１９を備えたところに特徴がある。
【００５７】
上記構成において、図１０のフローチャートでヒーター１７をＯＮ／ＯＦＦ制御するスイッチ切り替えルーチン１９のＯＮ時の動作について説明する。スイッチ切り替えルーチン１９は、水道作動検知ステップ２０と、風質可変手段８を動作させてヒーター１７のスイッチをＯＮ／ＯＦＦ制御する風温可変ステップ３３とから構成されている。
【００５８】
つまり、手乾燥ステップ２３で手検知手段９が手の存在を検知してヒーター１７がＯＦＦの状態で、水道を操作した人がいた場合に、水道作動検知手段３は再び水道作動検知ステップ２０で水道の作動を検知することになる。つまり、制御部４はつぎの手乾燥装置の使用者をいち早く検出することとなる。そこで風温可変ステップ３３により風温可変手段１８を動作させ、ヒーター１７をＯＮに変更することにより、吹き出し口７から送風される風温を高くすることとなる。本体１は、現在行っている手の乾燥をより早く済ませ、つぎの手乾燥者を待たせる時間を短縮することができる。なお、このスイッチ切り替えルーチン１９で、水道作動検知手段３が水道の作動を検知しない場合には、ヒーター１７をＯＦＦしたまま風温が低い状態で手乾燥を行うこととなる。
【００５９】
以上のように、手検知手段９が手の存在を検知している状態で、水道作動検知手段３が水道の作動を検知しても、吹き出し口７から送風される風温が低く、前の使用者の手乾燥に時間がかかり過ぎると、後ろの使用者が手乾燥装置を使用しない場合も想定できる。そこで、上記のようにスイッチ切り替えルーチン１９を備えることで、現在行っている手の乾燥をより早く済ませ、つぎの手乾燥者を待たせる時間を短縮することができる。
【産業上の利用可能性】
【００６０】
本発明の手乾燥装置は、レストランやホテルなどの洗面所やトイレに設置され、また病院や手術室や調理場においても適用できる。
【符号の説明】
【００６１】
１    本体
２    蛇口を中心とした所定の範囲
３    水道作動検知手段
４    制御部
５    手挿入部
６    送風装置
７    吹き出し口
８    風質可変手段
９    手検知手段
１０  給電報知手段
１１  手挿入部表示手段
１２  ファンモータ
１３  吸い込み口
１４  風量可変手段
１５  水タイマー手段
１６  手タイマー手段
１７  ヒーター
１８  風温可変手段
【図１】
2011229717.tif 000003
【図２】
2011229717.tif 000004
【図３】
2011229717.tif 000005
【図４】
2011229717.tif 000006
【図５】
2011229717.tif 000007
【図６】
2011229717.tif 000008
【図７】
2011229717.tif 000009
【図８】
2011229717.tif 000010
【図９】
2011229717.tif 000011
【図１０】
2011229717.tif 000012
【図１１】
2011229717.tif 000013